(57)【要約】【課題】地震発生時に、居住者に地震が発生したことを知らしめ、適切な対応を促すことができること。【課題手段】異常検出部が監視領域の異常を検出したときに、報知部によって監視領域の異常を報知する警報器において、地震検出部と、他の機器を動作させるリモコン信号を受信するリモコン信号受信部と、該リモコン信号受信部が受信したリモコン信号を記憶する記憶部と、該記憶部に記憶したリモコン信号を送信するリモコン信号送信部と、前記地震検出部が地震を検出したときに、前記リモコン信号送信部からリモコン信号を送信させる制御部と、を備えた。また、異常検出部が監視領域の異常を検出したときに、報知部によって監視領域の異常を報知する警報器において、地震検出部と、公共の放送電波を受信する放送電波受信部と、前記地震検出部が地震を検出したときに、前記放送電波受信部が受信した放送音声を前記報知部から報知させる制御部と、を備えた。【選択図】図２
2012252546.tif 000002
【特許請求の範囲】
【請求項１】
異常検出部が監視領域の異常を検出したときに、報知部によって監視領域の異常を報知する警報器において、
地震検出部と、
他の機器を動作させるリモコン信号を受信するリモコン信号受信部と、
該リモコン信号受信部が受信したリモコン信号を記憶する記憶部と、
該記憶部に記憶したリモコン信号を送信するリモコン信号送信部と、
前記地震検出部が地震を検出したときに、前記リモコン信号送信部からリモコン信号を送信させる制御部と、
を備えたことを特徴とする警報器。
【請求項２】
異常検出部が監視領域の異常を検出したときに、報知部によって監視領域の異常を報知する警報器において、
地震検出部と、
公共の放送電波を受信する放送電波受信部と、
前記地震検出部が地震を検出したときに、前記放送電波受信部が受信した放送音声を前記報知部から報知させる制御部と、
を備えたことを特徴とする警報器。
【請求項３】
異常検出部が監視領域の異常を検出したときに、報知部によって監視領域の異常を報知する警報器において、
地震検出部と、
非常照明部と、
前記地震検出部が地震を検出したときに、前記非常照明部を点灯させる制御部と、
を備えたことを特徴とする警報器。
【請求項４】
前記地震検出部は、無線受信部と、該無線受信部が緊急地震速報または緊急警報放送を受信したことを検出する緊急信号検出部とを備えることを特徴とする請求項１乃至３のいずれかに記載の警報器。
【発明の詳細な説明】
【技術分野】
【０００１】
本発明は、警報器に関する。
【背景技術】
【０００２】
警報器の一例としての火災警報器は、火災検出部が火災を検出したときに、報知部によって火災を報知することによって、居住者に火災が発生したことを知らしめることができる。また、複数の警報器からなる連動型の火災警報システムを構成し、火災警報器が火災を検出すると、報知部によって火災の報知を行うとともに、他の火災警報器に対して、火災信号を送信し、一方、当該火災信号を他の火災警報器が受信して、報知部によって火災の報知を行うことによって、システム全体で火災の報知を行えるものもある（例えば、特許文献１参照）。
【先行技術文献】
【特許文献】
【０００３】
【特許文献１】特許第４４６６７９２号公報
【発明の概要】
【発明が解決しようとする課題】
【０００４】
ところで、法改正により、全住居へ火災警報器の設置が義務化されたことから、火災警報器は、火災発生時以外にも有効利用できることが望まれており、例えば、地震発生時に、居住者に地震が発生したことを知らしめ、適切な対応を促すことができることが望まれている。
【０００５】
本発明は、上記のような課題を解決するためになされたものであり、地震発生時に、居住者に地震が発生したことを知らしめ、適切な対応を促すことができる警報器を提供するものである。
【課題を解決するための手段】
【０００６】
この発明は、異常検出部が監視領域の異常を検出したときに、報知部によって監視領域の異常を報知する警報器において、地震検出部と、他の機器を動作させるリモコン信号を受信するリモコン信号受信部と、該リモコン信号受信部が受信したリモコン信号を記憶する記憶部と、該記憶部に記憶したリモコン信号を送信するリモコン信号送信部と、前記地震検出部が地震を検出したときに、前記リモコン信号送信部からリモコン信号を送信させる制御部と、を備えたことを特徴とする。
【０００７】
またこの発明は、異常検出部が監視領域の異常を検出したときに、報知部によって監視領域の異常を報知する警報器において、地震検出部と、公共の放送電波を受信する放送電波受信部と、前記地震検出部が地震を検出したときに、前記放送電波受信部が受信した放送音声を前記報知部から報知させる制御部と、を備えたことを特徴とする。
【０００８】
またこの発明は、異常検出部が監視領域の異常を検出したときに、報知部によって監視領域の異常を報知する警報器において、地震検出部と、非常照明部と、前記地震検出部が地震を検出したときに、前記非常照明部を点灯させる制御部と、を備えたことを特徴とする。
【０００９】
また、前記地震検出部は、無線受信部と、該無線受信部が緊急地震速報または緊急警報放送を受信したことを検出する緊急信号検出部とを備えることを特徴とする。
【発明の効果】
【００１０】
この発明は、異常検出部が監視領域の異常を検出したときに、報知部によって監視領域の異常を報知する警報器において、地震検出部と、他の機器を動作させるリモコン信号を受信するリモコン信号受信部と、該リモコン信号受信部が受信したリモコン信号を記憶する記憶部と、該記憶部に記憶したリモコン信号を送信するリモコン信号送信部と、前記地震検出部が地震を検出したときに、前記リモコン信号送信部からリモコン信号を送信させる制御部と、を備えるものであるので、地震発生時に、居住者に地震が発生したことを知らしめ、適切な対応を促すことができる。特に、警報器に学習リモコン機能を搭載して、地震時にリモコン信号を送信することによって、他の機器を連動動作させることができる。
【００１１】
またこの発明は、異常検出部が監視領域の異常を検出したときに、報知部によって監視領域の異常を報知する警報器において、地震検出部と、公共の放送電波を受信する放送電波受信部と、前記地震検出部が地震を検出したときに、前記放送電波受信部が受信した放送音声を前記報知部から報知させる制御部と、を備えるものであるので、地震発生時に、居住者に地震が発生したことを知らしめ、適切な対応を促すことができる。特に、警報器に公共放送受信機能を内蔵して、地震時に放送音声を報知することによって、居住者に放送音声により地震情報を即座に提供することができる。公共放送としては、ＡＭラジオは、基地局がカバーできる送信エリアが広く、かつ汎用性に優れるため、好適である。
【００１２】
またこの発明は、異常検出部が監視領域の異常を検出したときに、報知部によって監視領域の異常を報知する警報器において、地震検出部と、非常照明部と、前記地震検出部が地震を検出したときに、前記非常照明部を点灯させる制御部と、を備えものであるので、地震発生時に、居住者に地震が発生したことを知らしめ、適切な対応を促すことができる。特に、警報器に非常照明を内蔵して、地震時に非常照明を点灯することによって、居住者は、夜間でも安全に屋外に避難することができる。電源が電池式の警報器の場合、停電の影響を受けずに、非常照明を点灯することができ、好適である。
【００１３】
また、前記地震検出部は、無線受信部と、該無線受信部が緊急地震速報または緊急警報放送を受信したことを検出する緊急信号検出部とを備えるものであるので、地震が到達する前に、居住者に地震が発生することを知らしめ、適切な対応を促すことができる。
【図面の簡単な説明】
【００１４】
【図１】実施の形態１に係る警報システムの構成図である。
【図２】実施の形態１に係る火災警報器の機能ブロック図である。
【図３】実施の形態２に係る火災警報器の機能ブロック図である。
【図４】実施の形態３に係る火災警報器の機能ブロック図である。
【発明を実施するための形態】
【００１５】
実施の形態１．
本実施の形態１は、火災警報器に学習リモコン機能を搭載して、他の機器を動作させる赤外線リモコン信号を予め記憶させ、地震検出時に赤外線リモコン信号を送信することによって、必要な他の機器を連動動作させるようにしたものであり、以下に詳細を説明する。
【００１６】
図１は、本発明の実施の形態１に係る警報システムの構成を示す図である。警報システムは、設置面としての例えば天井に設置された火災警報器１００Ａと、連動動作される他の機器としての例えば、雨戸シャッター２０１、照明機器２０２、ラジオ機器２０３で構成される。雨戸シャッター２０１、照明機器２０２、ラジオ機器２０３は、リモコン信号受信部２０１Ａ、２０２Ａ、２０３Ａと、操作用のリモコン機器２０１Ｂ、２０２Ｂ、２０３Ｂをそれぞれ有し、リモコン信号受信部２０１Ａ、２０２Ａ、２０３Ａは、対応するリモコン機器２０１Ｂ、２０２Ｂ、２０３Ｂの操作に基づく赤外線リモコン信号を受信して、当該信号に対応して、雨戸シャッター２０１、照明機器２０２、ラジオ機器２０３を動作させる。
【００１７】
図２は、本発明の実施の形態１に係る火災警報器の機能ブロック図である。  図２において、火災警報器１００Ａは、制御回路１、電池２、電源回路３、電池電圧検出回路４、無線受信回路５、アンテナ６、火災検出回路７、警報音制御回路８、表示灯回路９、登録・消去スイッチ１３、リモコン信号受信部１４、リモコン信号送信部１５を備える。制御回路１は、記憶素子１１、緊急信号検出部１２を備える。
【００１８】
電池２は、各部に電源を供給するために、電源回路３に直流電源を供給する。
【００１９】
電源回路３は、電池２の電圧を所定電圧に制御し、制御回路１、無線受信回路５、火災検出回路７、警報音制御回路８、表示灯回路９などの各回路に供給する。
【００２０】
電池電圧検出回路４は、電源回路３に印加される電池２の電圧を検出し、電池残量が低下したこと、又は、電池切れの閾値を超えたこと、を検出すると、制御回路１に電池電圧低下信号を出力する。
【００２１】
火災検出回路７は、火災現象に基づく煙又は熱等の検知対象物の物理量又は物理的変化を検出して、検出内容に応じた信号を制御回路１に出力する。
【００２２】
警報音制御回路８は、ブザー・スピーカ等による音声鳴動の動作を制御する回路である。
【００２３】
表示灯回路９は、発光ダイオード等の表示灯の点灯動作を制御する回路である。
【００２４】
記憶素子１１は、火災警報器１００Ａの動作プログラム、必要な設定情報などを格納する。
【００２５】
制御回路１は、火災警報器１００Ａ全体の動作を制御する回路であり、電池電圧検出回路４から電池電圧低下信号が入力されると、警報音制御回路８及び表示灯回路９を制御して、電池電圧低下を示す報知として、例えば、音声鳴動及び表示灯の点灯を行う。また、制御回路１は、火災検出回路７からの検出信号に基づいて火災を検出すると、警報音制御回路８及び表示灯回路９を制御して、火災を示す報知として、例えば、音声鳴動及び表示灯の点灯を行う。
【００２６】
無線受信回路５は、無線信号を受信するためのアンテナ６に接続されている。無線受信回路５は、他の設備から送信される、当該火災警報器１００Ａが設置されているエリアで地震が発生したことを知らせる緊急地震速報または緊急警報放送の無線信号を受信可能な通信周波数に設定され、当該受信した無線信号を緊急信号検出部１２に出力する。緊急地震速報または緊急警報放送の無線信号を送信するサービスは、携帯電話（移動端末）、公共の放送（テレビ放送、ラジオ放送、衛星データ放送）などで利用されているため、これらの通信周波数の無線信号を受信できるものであればよい。なお、緊急地震速報または緊急警報放送の信号を送信するサービスは、ＣＡＴＶ、インターネット端末など有線通信でも利用されるため、無線受信回路５の代わりに、有線受信回路を用いることもできる。
【００２７】
緊急信号検出部１２は、無線受信回路５が受信した無線信号に、緊急地震速報または緊急警報放送の無線信号が含まれているかを検出し、含まれている場合は、緊急信号を制御回路１に出力する。
【００２８】
つぎに、学習リモコン機能として利用される構成について説明する。登録・消去スイッチ１３は、他の機器２０１、２０２、２０３を動作させる赤外線リモコン信号の登録・消去用に操作されるスイッチである。
【００２９】
リモコン信号受信部１４は、例えば、赤外線受光素子によって構成され、他の機器２０１、２０２、２０３を動作させる赤外線リモコン信号を受信して、当該受信した信号を制御回路１に出力する。
【００３０】
記憶素子１１は、制御回路１の制御により、リモコン信号受信部１４から出力された赤外線リモコン信号を記憶する。
【００３１】
リモコン信号送信部１５は、例えば、赤外線発光素子により構成され、制御回路１の制御により、記憶素子１１に記憶された赤外線リモコン信号を、他の機器２０１、２０２、２０３に対して出力する。
【００３２】
制御回路１は、緊急信号検出部１２から緊急信号が入力されると、地震を検出した（地震が発生した、または近々発生するもの）として、警報音制御回路８及び表示灯回路９を制御して、地震を示す報知として、例えば、音声鳴動及び表示灯の点灯を行う。また、制御回路１は、記憶素子１１に記憶された赤外線リモコン信号をリモコン信号送信部１４から送信させる。
【００３３】
なお、登録・消去スイッチ１３は、居住者が操作可能なように、火災警報器１００Ａの筐体の外面に露出して設けられている。同様に、リモコン信号受信部１４およびリモコン信号送信部１５は、他の機器２０１、２０２、２０３と赤外線リモコン信号の送受が可能なように、火災警報器１００Ａの筐体の外面に露出して設けられ、特に、良好な送受が可能なように、複数設けるようにすることができる。
【００３４】
つぎに、本発明の実施の形態１に係る火災警報器における赤外線リモコン信号の登録・消去動作について説明する。なお、登録・消去スイッチ１３は、本実施の形態１では、登録・消去スイッチ１３を短押し（３秒未満）した場合は登録スイッチとして機能し、当該操作から所定時間の間、リモコン信号受信部１４が赤外線リモコン信号を受信可能となるように構成し、また、長押し（３秒以上）した場合は消去スイッチとして機能するものとして説明するが、これに限定されない。
【００３５】
まず、赤外線リモコン信号を登録する場合、居住者は、登録・消去スイッチ１３を短押しすると、当該操作信号が入力することで、制御回路１は、登録モード状態になり、当該操作から所定時間の間、リモコン信号受信部１４が赤外線リモコン信号を受信可能となる。
【００３６】
つぎに、居住者は、連動動作させたい他の機器２０１、２０２、２０３のリモコン機器２０１Ｂ、２０２Ｂ、２０３Ｂを手に持ち、リモコン信号受信部１４に対向させる。そして、必要な連携動作させるための操作（例えば、雨戸シャッター２０１を開放操作するスイッチをオン）して、当該操作に基づく赤外線リモコン信号をリモコン信号受信部１４に受信させる。これにより、リモコン信号受信部１４が受信した赤外線リモコン信号は、記憶素子１１に記憶される。この操作を、必要な連動動作させたい他の機器２０１、２０２、２０３に対して行い、必要な赤外線リモコン信号を記憶素子１１に記憶する。なお、不要な赤外線リモコン信号を記憶した場合、居住者は、登録・消去スイッチ１３を長押しする。すると、当該操作信号が入力することで、制御回路１は、記憶素子１１に記憶された赤外線リモコン信号を、一括消去する。
【００３７】
つぎに、本発明の実施の形態１に係る警報システムの動作について説明する。なお、記憶素子１１には、雨戸シャッター２０１を開放させる赤外線リモコン信号、照明機器２０２を電源オンする（点灯照明させる）赤外線リモコン信号、ラジオ機器２０３を電源オンする（ラジオ放送を音声出力する）赤外線リモコン信号が記憶されているものとする。
【００３８】
火災警報器１００Ａは、緊急地震速報または緊急警報放送の受信により、地震を検出すると、警報音制御回路８及び表示灯回路９を制御して、地震を示す報知として、例えば、音声鳴動及び表示灯の点灯を行う。また、記憶素子１１に記憶された赤外線リモコン信号をリモコン信号送信部１５から送信させる。そして、雨戸シャッター２０１のリモコン信号受信部２０１Ａは、雨戸シャッター２０１を開放させる赤外線リモコン信号を受信して、雨戸シャッター２０１を開放させるので、居住者は、迅速に避難することができる。また、照明機器２０２のリモコン信号受信部２０２Ａは、照明機器２０２を電源オンする赤外線リモコン信号を受信して、照明機器２０２を点灯照明させるので、居住者は、迅速に避難することができる。また、ラジオ機器２０３のリモコン信号受信部２０３Ａは、ラジオ機器２０３を電源オンする赤外線リモコン信号を受信して、ラジオ機器２０３からラジオ放送を音声出力させるので、居住者に、即座にラジオ放送により地震情報を提供することができる。
【００３９】
以上、説明したように、本発明の実施の形態１に利用される警報器は、異常検出部（火災検出回路７）が監視領域の異常（火災）を検出したときに、報知部（警報音制御回路８、表示灯回路９）によって監視領域の異常を報知する警報器（火災警報器１００Ａ）において、地震検出部（無線受信部５、緊急信号検出部１２）と、他の機器２０１、２０２、２０３を動作させるリモコン信号（一例としての赤外線リモコン信号）を受信するリモコン信号受信部１４と、該リモコン信号受信部１４が受信したリモコン信号を記憶する記憶部（記憶素子１１）と、該記憶部１１に記憶したリモコン信号を送信するリモコン信号送信部１５と、前記地震検出部５、１２が地震を検出したときに、前記リモコン信号送信部１５からリモコン信号を送信させる制御部（制御回路１１）と、を備えるものであるので、地震発生時に、居住者に地震が発生したことを知らしめ、適切な対応を促すことができる。特に、警報器１００Ａに学習リモコン機能を搭載して、地震時にリモコン信号を送信することによって、他の機器２０１、２０２、２０３を連動動作させることができる。
【００４０】
なお、本実施の形態１において、火災警報器１００Ａは、火災を検出したときにも、リモコン信号送信部１５からリモコン信号を送信させてもよく、雨戸シャッター２０１の開放、照明機器２０２の夜間の点灯照明により、居住者は、迅速に避難することができる。
【００４１】
また、本実施の形態１では、火災警報器１００Ａは単独型としたが、複数の火災警報器１００Ａを備えた火災連動警報を行う警報システムに本発明を利用することができ、その場合、１つの火災警報器１００Ａにのみ地震検出部５、１２を備え、地震を検出した場合に、地震を検出したことを示す地震検出信号を、無線信号または有線信号により、その他の火災警報器１００Ａに送受信し、当該受信した地震検出信号に基づいて、その他の火災警報器１００Ａが個別に赤外線リモコン信号を送信する構成としてもよい。
【００４２】
実施の形態２．
本実施の形態２は、火災警報器に公共の放送電波を受信・報知する機能を内蔵して、地震検出時に、受信した公共放送の放送音声を報知部から報知させるようにしたものであり、以下に詳細を説明する。
【００４３】
図３は、本発明の実施の形態２に係る火災警報器の機能ブロック図である。実施の形態２における火災警報器１００Ｂに関して、実施の形態１の火災警報器１００Ａと異なる点は、学習リモコン機能としての記憶素子１１、登録・消去スイッチ１３、リモコン信号受信部１４、リモコン信号送信部１５を削除したこと、公共の放送電波を受信・報知する機能としての放送電波受信回路５Ｂ、放送音声報知用のスイッチ２０などを追加した点であり、実施の形態１で用いた符号と同じ符号が用いられている構成は、同一の機能を有するものとし、説明を省略する。
【００４４】
放送電波受信回路５Ｂは、本実施の形態１の無線受信回路５と同様に、当該火災警報器１００Ｂが設置されているエリアで地震が発生したことを知らせる緊急地震速報または緊急警報放送の無線信号を受信可能な通信周波数に設定され、当該受信した無線信号を緊急信号検出部１２に出力するものであるが、特に、本実施の形態２では、緊急地震速報または緊急警報放送のサービスを行っている公共の放送（テレビ放送、ラジオ放送、衛星データ放送）の電波を受信できる通信周波数に設定されて、公共の放送も受信できる構成である。また、放送電波受信回路５Ｂは、警報音制御回路８のスピーカ（図示せず）に、常時は開のスイッチ２０を介して、接続可能となっている。
【００４５】
記憶素子１１Ｂは、火災警報器１００Ｂの動作プログラム、必要な設定情報などを格納する。
【００４６】
制御回路１Ｂは、緊急信号検出部１２から緊急信号が入力されると、地震を検出した（地震が発生した、または近々発生するもの）として、表示灯回路９を制御して、地震を示す報知として、例えば、表示灯の点灯を行う。また、制御回路１Ｂは、常時は開のスイッチ２０を閉として、放送電波受信回路５Ｂと警報音制御回路８のスピーカ（図示せず）とを接続する。これにより、放送電波受信回路５Ｂが受信した放送音声は、警報音制御回路８のスピーカ（図示せず）から報知される。
【００４７】
つぎに、本発明の実施の形態２に係る火災警報器の動作について説明する。火災警報器１００Ｂは、緊急地震速報または緊急警報放送の受信により、地震を検出すると、表示灯回路９を制御して、地震を示す報知として、例えば、表示灯の点灯を行う。また、スイッチ２０が閉じられて、放送電波受信回路５Ｂが受信した放送音声が、警報音制御回路８のスピーカ（図示せず）から報知されるので、居住者に、即座に地震情報を提供することができる。
【００４８】
以上、説明したように、本発明の実施の形態２に利用される警報器は、異常検出部（火災検出部７）が監視領域の異常（火災）を検出したときに、報知部（警報音制御回路８、表示灯回路９）によって監視領域の異常を報知する警報器（火災警報器１００Ｂ）において、地震検出部（放送電波受信回路５Ｂ、緊急信号検出部１２）と、公共の放送電波を受信する放送電波受信部（放送電波受信回路５Ｂ）と、前記地震検出部５Ｂ、１２が地震を検出したときに、前記放送電波受信部５Ｂが受信した放送音声を前記報知部８から報知させる制御部（制御回路１Ｂ）と、を備えるものであるので、地震発生時に、居住者に地震が発生したことを知らしめ、適切な対応を促すことができる。特に、警報器１００Ｂに公共放送受信機能を内蔵して、地震時に放送音声を報知することによって、居住者に放送音声により地震情報を即座に提供することができる。公共放送としては、ＡＭラジオは、基地局がカバーできる送信エリアが広く、かつ汎用性に優れるため、好適である。また、公共放送は、携帯電話（移動端末）と比較して、基地局がカバーできる受信エリアが広いため、地震の影響により基地局が故障して、当該基地局によってサービスを利用できない可能性は少なく、携帯電話によるインターネットサービスを利用できない場合であっても、有効に利用することができる。
【００４９】
なお、本実施の形態２では、火災警報器１００Ｂは単独型としたが、複数の火災警報器１００Ｂを備えた火災連動警報を行う警報システムに本発明を利用することができ、その場合、１つの火災警報器１００Ｂにのみ地震検出部５Ｂ、１２及び放送電波受信部５Ｂを備え、地震を検出した場合に、地震を検出したことを示す地震検出信号及び受信した放送音声を、無線信号または有線信号により、その他の火災警報器１００Ｂに送受信し、当該受信した地震検出信号及び放送音声に基づいて、その他の火災警報器１００Ｂが放送音声を連動報知する構成としてもよい。
【００５０】
実施の形態３．
本実施の形態３は、火災警報器に非常照明を内蔵して、地震検出時に、非常照明を点灯させるようにしたものであり、以下に詳細を説明する。
【００５１】
図４は、本発明の実施の形態３に係る火災警報器の機能ブロック図である。実施の形態３における火災警報器１００Ｃに関して、実施の形態１の火災警報器１００Ａと異なる点は、学習リモコン機能としての記憶素子１１、登録・消去スイッチ１３、リモコン信号受信部１４、リモコン信号送信部１５を削除したこと、非常照明部３０を追加した点であり、実施の形態１で用いた符号と同じ符号が用いられている構成は、同一の機能を有するものとし、説明を省略する。
【００５２】
非常照明部３０は、例えば、高輝度ランプなどによって構成され、火災警報器１００Ｃの外部に照明可能なように設けられている。
【００５３】
記憶素子１１Ｃは、火災警報器１００Ｃの動作プログラム、必要な設定情報などを格納する。
【００５４】
制御回路１Ｃは、緊急信号検出部１２から緊急信号が入力されると、地震を検出した（地震が発生した、または近々発生するもの）として、警報音制御回路８及び表示灯回路９を制御して、地震を示す報知として、例えば、音声鳴動及び表示灯の点灯を行う。また、制御回路１Ｃは、非常照明部３０を制御して、非常照明を点灯させる。
【００５５】
つぎに、本発明の実施の形態３に係る火災警報器の動作について説明する。火災警報器１００Ｃは、緊急地震速報または緊急警報放送の受信により、地震を検出すると、警報音制御回路８及び表示灯回路９を制御して、地震を示す報知として、例えば、音声鳴動及び表示灯の点灯を行う。また、非常照明部３０が点灯照明するので、居住者は、迅速に避難することができる。
【００５６】
以上、説明したように、本発明の実施の形態３に利用される警報器は、異常検出部（火災検出部７）が監視領域の異常（火災）を検出したときに、報知部（警報音制御回路８、表示灯回路９）によって監視領域の異常を報知する警報器（火災警報器１００Ｃ）において、地震検出部（無線受信回路５、緊急信号検出部１２）と、非常照明部３０と、前記地震検出部５、１２が地震を検出したときに、前記非常照明部３０を点灯させる制御部（制御回路１Ｃ）と、を備えものであるので、地震発生時に、居住者に地震が発生したことを知らしめ、適切な対応を促すことができる。特に、警報器１００Ｃに非常照明を内蔵して、地震時に非常照明を点灯することによって、居住者は、夜間でも安全に屋外に避難することができる。電源が電池式の警報器１００Ｃの場合、停電の影響を受けずに、非常照明を点灯することができ、好適である。
【００５７】
なお、本実施の形態３において、火災警報器１００Ｃは、火災を検出したときにも、非常照明部３０を点灯照明させてもよく、夜間の点灯照明により、居住者は、迅速に避難することができる。
【００５８】
また、本実施の形態３では、火災警報器１００Ｃは単独型としたが、複数の火災警報器１００Ｃを備えた火災連動警報を行う警報システムに本発明を利用することができ、その場合、１つの火災警報器１００Ｃにのみ地震検出部５、１２を備え、地震を検出した場合に、地震を検出したことを示す地震検出信号を、無線信号または有線信号により、その他の火災警報器１００Ｃに送受信し、当該受信した地震検出信号に基づいて、その他の火災警報器１００Ａが個別に非常照明部３０を点灯照明する構成としてもよい。
【００５９】
また、前記全ての実施の形態において、前記地震検出部５、５Ｂ、１２は、無線受信部５、５Ｂと、該無線受信部５、５Ｂが緊急地震速報または緊急警報放送を受信したことを検出する緊急信号検出部１２とを備えるものであるので、地震が到達する前に、居住者に地震が発生することを知らしめ、適切な対応を促すことができる。
【００６０】
また、前記全ての実施の形態において、地震検出部は、緊急地震速報または緊急警報放送を受信するものとして説明したが、加速度センサによる振動検知、スピーカの振動による起電力を監視するなど、火災警報器に振動検知センサを内蔵して、地震を検知してもよい。
【００６１】
また、前記説明では、警報器として火災警報器を例に挙げて説明したが、監視領域の異常として、その他の異常を検出する警報器（例えば、ガス漏れ警報器）についても、本発明を適用することができる。
【００６２】
また、前記説明では、本発明は、地震時に有効に作用する発明であることを示して説明したが、例えば、津波などのその他の各種自然災害などにも、有効に作用するものであれば、本発明を適用することができる。
【符号の説明】
【００６３】
１  制御回路、１Ｂ  制御回路、１Ｃ  制御回路、２  電池、３  電源回路、４  電池電圧検出回路、５  無線受信回路、５Ｂ  放送電波受信回路、６  アンテナ、７  火災検出回路、８  警報音制御回路、９  表示灯回路、１１  記憶素子、１１Ｂ  記憶素子、１１Ｃ  記憶素子、１２  緊急信号検出部、１３  登録・消去スイッチ、１４  リモコン信号受信部、１５  リモコン信号送信部、２０  スイッチ、３０  非常照明部、１００Ａ  火災警報器、１００Ｂ  火災警報器、１００Ｃ  火災警報器、２０１  雨戸シャッター、２０１Ａ  リモコン信号受信部、２０１Ｂ  リモコン機器、２０２  照明機器、２０２Ａ  リモコン信号受信部、２０２Ｂ  リモコン機器、２０３  ラジオ機器、２０３Ａ  リモコン信号受信部、２０３Ｂ  リモコン機器。
【図１】
2012252546.tif 000003
【図２】
2012252546.tif 000004
【図３】
2012252546.tif 000005
【図４】
2012252546.tif 000006